(57)【要約】      （修正有）【課題】木製の格子状基本ユニットを格子接続棒にて連続した形状に結合することにより、自由なデザインが任意に形成できる立体格子組子による意匠部材を提供する。【解決手段】木材製棒状格子７を連続組み立てして、縦横二方向に１０〜８０組連続的に形成した立方体の縦一方向の中間位置に正方体の連続格子体を組み込み、立方体の中心位置が正方体の格子交差点１２となるようにして、交差点から連結していない棒状格子を立体体外面の同位置まで張出した状態の格子状基本ユニット８を構成する。その格子状基本ユニットを１〜３ユニット組み合わせた格子構成体を平面に使用して、上面に２〜１０ｍｍの厚さの透明板を全面、又は部分的に嵌合させて、下部の立体格子組子を意匠的に構成する。【選択図】図２
0003193752.tif 000002
【実用新案登録請求の範囲】
【請求項１】
木材製棒状格子を、連続組み立て立方体を縦横二方向に１０〜８０組連続的な構造を形成して、前記立方体の縦一方向の中間位置に正方体の連続格子体を組み込み、立方体の中心位置に正方体の格子交差点となるようにして、当該交差点から連結していない棒状格子を立体体外面の同位置まで張出した状態の格子状基本ユニットであって、前記格子状基本ユニットを１〜３ユニットから構成され格子構成体にして、前記格子構成体を平面に使用して、その上面に５ｍｍの厚さの透明板を全面、又は部分的に嵌合させて、下部の立体格子組子を意匠的に構成できる部材になっていることを特徴とする立体格子組子による意匠部材。
【請求項２】
木材製棒状格子は、材料としてヒバ、ヒノキ、スギから選ばれた針葉樹林の木材であって、４〜９ｍｍの角材の各格子の表面に木目調絞付けを行い、結合した連続面として継目が目立たないように格子状に組み立てていることを特徴とする請求項１記載の立体格子組子による意匠部材。
【請求項３】
連続組み立て立方体は、一つの組み体の立方体を一辺２０〜８０ｍｍの寸法の立方形であって、中間部に正方形を組み立てた状態でなっている格子状基本ユニットであって、結合した連続面として継目が目立たない立体組み立て格子組子の状態にして、格子の交差部に位置する接続棒には、相嵌合するような切欠きを形成されていることを特徴とする請求項１又は請求項２に記載の立体格子組子による意匠部材。
【請求項４】
当該透明板は、前記格子状基本ユニットを１〜３ユニットから構成され格子構成体を平面にして、そのユニットの上面に、全面、又は部分的に２〜２０ｍｍの厚さのガラス板、又はポリカーボネート板、又はポリアクリル板から選ばれた透明板を嵌合させていることを特徴とする請求項１〜請求項３のいずれかに記載の立体格子組子による意匠部材。
【請求項５】
立体格子組子による意匠部材は、テーブル台、又は廊下の床、又はスタンド台であって、格子構成体の下部から照明できるように発光器を格子状基本ユニットの下位に設置できるようになっていることを特徴とする請求項１〜請求項３のいずれかに記載の立体格子組子による意匠部材。
【考案の詳細な説明】
【技術分野】
【０００１】本考案は組立格子ユニットの意匠部材に関し、詳しくは、木製立体組子でできた基本ユニット部品を連続結合して大形品とする組立格子ユニットの意匠部材に関する。特に軽量で製作が容易で可能で、意匠部材として簡単に得られる床、テーブル、スタンド台に用いられるパネル部材に関する。
【背景技術】
【０００２】床材としての用途は耐摩耗性の面から従来難しいとされていた静電植毛技術に着目し、特定のパイルを透明樹脂の表面に特定の目付け量にて静電植毛することで、意外にも、パイルの目付け量が抑えられ、下の意匠性を損なわずに、カーペットのような温感性と触感ばかりか、優れた清掃性と耐摩耗性をも有する床材が得られるとの知見を得た。（特許文献１参照）。【０００３】生産性、強度、耐候性、および耐久性のいずれにも優れ、高い意匠性を実現しうる透明樹脂製床材を提供するものが提案されている（特許文献２参照）。
さらに合理的かつ簡明で優れた機能を備えたガラス床に誘導灯を組み込み、避難誘導その他の誘導に必要な場合にのみそれが視認性を確保してその作用を発揮する意匠性に優れたものが提案されている（特許文献３参照）。【０００４】２枚の透明な板の間に一定間隔で平行な仕切り板が設けられた透明中空板の該中空部に繊維状物質が充填されることにより、図柄が描かれてなる。デザインボードは、主に屋内の装飾用に用いられ、その使用方法としては、壁に掛けたり、天井などから吊るしたり、窓枠にはめたり、テーブル等の上に置いたりして使用されている（特許文献４参照）。【０００５】プラスチック製の格子状基本ユニットを接続棒にて連続した形状に結合することにより、大形で、曲線部、凹凸等の自由なデザインが任意に形成でき、しかも大量生産が可能な組立格子ユニット製建具を提供するために、プラスチック製の格子状基本ユニット及び格子状基本ユニット間の格子の裏面側に凹溝のリブ部６と該リブ部の内側に突起を設け、該リブ部の突起に相嵌合する窪み７を有した接続棒にて複数個の格子状基本ユニットを結合一体化した内枠に、外枠をはめ込んで形成した組立格子ユニット製建具が提案されている。（特許文献５参照）。【０００６】格子状型枠の片面に裏打材を設けたことを特徴とするパネル材であって、家具や建具として利用できる軽量で安価な多用途のパネル材が得られ、特に他の片面に化粧板を設けたパネル材は家具、建具また建築の内外壁板や天井板として利用価値が大きい。（特許文献６参照）。【０００７】一般住宅に使用する建具である戸襖として、通気性、消臭性を備えていることを特徴として、戸襖の構造において、戸襖の内部に、一枚又は複数の有孔板を備え、最表面に襖紙を貼着した戸襖であって、有孔板の全面積に対して約１０％となるように直径２．０ｃｍ〜３．０ｃｍの円形の孔をあけ、その孔には顆粒状の炭素粉と耐熱性接着剤を混合した詰物を充填して充填炭素層として収め、戸襖の周囲を木枠で囲い、外周を襖化粧枠で整形した通気性と消臭性を備えた戸襖も存在している（特許文献７参照）。
【先行技術文献】
【特許文献】
【０００８】
【特許文献１】特開２０１１−２３１５３９号
【特許文献２】特開２００８−２１６３号
【特許文献３】特開２００７−３３２５３８号
【特許文献４】実用新案登録第３１６３６８７号
【特許文献５】実用新案登録第３０４２００５号
【特許文献６】実用新案登録第３０００３６２号
【特許文献７】実用新案登録第３１１７００３号
【考案の概要】
【考案が解決しようとする課題】
【０００９】床材としての用途は耐摩耗性の面から従来難しいとされていた透明樹脂の表面に、意匠性を損なわずに、温感性と触感ばかりか、優れた清掃性と耐摩耗性をも有する床材が得られるとの知見を得た。【００１０】また合理的で簡明であり、確実に板ガラスの固定ができる等の優れた機能を具えたガラス床に組み込み、デザイン性床の目的による誘導付加して、それが視認性を確保してその作用を発揮する意匠性に優れた意匠性ガラス床を提供することを解決の課題とする。【００１１】さらにデザインボードは、上述した問題に鑑みてなされたものであって、１枚の透明な板に一定間隔で平行な格子組子の仕切り板が設けられた透明中空板の、該中空部に格子状物質が充填配置されることにより、図柄が描かれてなるデザイン性テブールボードを提供するものである。【００１２】各種の室内調度品のデザインが、益々多様に高度化されつつある昨今では、家族団らんの中心となる居間等のテーブルを装うテーブル台も、それ等に負けない様により魅力的な意匠性のものを提供することが望ましい。そこで、本考案の目的は、既存のものに比べてより魅力的に、乃至はより個性的にデザインされた意匠性テーブル台を提供するにある。【００１３】上記の天然木材製の格子状組子は、次の理由で大量生産にはほど遠い状況にあった。即ち、材料の吟味並びに大工工事に高度な技術と熟練を必要とすること。天然木素材の欠点として反り、曲がり、腐食、カビ等が発生すること。建具を製作出来る職人は長期間の奉公による修行が必要であるため熟練工が少なくなり、従って製品が高価であること。内枠は無垢で肉盗み等がないため重く、取扱いにくいこと。内枠は外枠を含めた一体物であるため大形品となり取扱にくいことが上げられる。【００１４】本考案は、上述のような課題に対処すべく鋭意検討の結果、提案するに至ったもので、格子状基本ユニットを接続棒にて連続した形状に結合することにより、大形で、曲線部、凹凸等の自由なデザインが任意に形成でき、しかも比較的安価に大量生産が可能な組立格子ユニット製部材を提供することを目的とするものである。
【課題を解決するための手段】
【００１５】木材製棒状格子を、連続組み立て立方体を縦横二方向に１０〜１００組連続的な構造を形成して、前記立方体の縦一方向の中間位置に正方体の連続格子体を組み込み、立方体の中心位置に正方体の格子交差点となるようにして、当該交差点から連結していない棒状格子を立体体外面の同位置まで張出した状態の格子状基本ユニットであって、前記格子状基本ユニットを１〜３ユニットから構成され格子構成体にして、前記格子構成体を平面に使用して、その上面に２〜１０ｍｍの厚さの透明板を全面、又は部分的に嵌合させて、下部の立体格子組子を意匠的に構成できる部材になっている立体格子組子による意匠部材である。【００１６】木材製棒状格子は、材料としてヒバ、ヒノキ、スギから選ばれた針葉樹林の木材であって、４〜１２ｍｍの角材の各格子の表面に木目調絞付けを行い、結合した連続面として継目が目立たないように格子状に組み立てている。【００１７】連続組み立て立方体は、一つの組み体の立方体を一辺２０〜８０ｍｍの寸法の立方形であって、中間部に正方形を組み立てた状態でなっている格子状基本ユニットであって、結合した連続面として継目が目立たない立体組み立て格子組子の状態にして、格子の交差部に位置する接続棒には、相嵌合するような切欠きを形成されている。【００１８】当該透明板は、前記格子状基本ユニットを１〜３ユニットから構成され格子構成体を平面にして、そのユニットの上面に、全面、又は部分的に２〜２０ｍｍの厚さのガラス板、又はポリカーボネート板、又はポリアクリル板から選ばれた透明板を嵌合させている。【００１９】立体格子組子による意匠部材は、テーブル台、又は廊下の床であって、格子構成体の下部から照明できるように発光器を格子状基本ユニットの下位に設置できるようになっている。
【考案の効果】
【００２０】本考案に係る組立格子ユニット意匠部材は、外観的には凹凸等の自由なデザインが任意に形成でき、立体格子組子による意匠部材は、更に天然木材の芳香性、防菌性の材料使用しているために、木の香りをもたらすとともに、材料の腐食、カビ等の心配がなく、軽くしかも安価で、置物、敷物などで意匠の効果が期待できる。【００２１】このように本考案によれば、立体格子組子による組立格子ユニット意匠部材は、既製品化生産できるので、軽量・品質均一な多用途片面パネル材が安価に得られる。さらにこのようなテーブル台、廊下の床材等として使用範囲もかなり多用途にわたるので、光源によってデザイン性を発揮して、意匠の家具界に貢献できる。
【図面の簡単な説明】
【００２２】
【図１】本考案立体格子組子による意匠部材パネルのテーブル一実施例を示す斜視図である。
【図２】本考案の立体格子組子による意匠部材パネル材を示す構造の説明図である。Ａ：構造斜視図  Ｂ：平面図
【図３】本考案の立体格子組子による意匠部材パネル材を示す構造の組み立て図である。Ａ：組み立て図、Ｂ：部品図  Ｃ：完成図
【図４】本考案の立体格子組子による意匠部材を示すもので廊下の床のユニット図である。Ａ：斜視図  Ｂ：断面図
【図５】立体格子組子による意匠部材の他の例を示すもので、光源を使用したテーブルの図である。Ａ：斜視図  Ｂ：断面図  Ｃ：正面図
【考案を実施するための形態】
【００２３】以下、添付図面を参照しながら本考案の実施の形態を詳細に説明する。
図１は立体格子組子による意匠部材のテーブルを示す斜視図、図２は立体格子組子による意匠部材を構成する格子状基本ユニットの斜視図、図４は立体格子組子による意匠部材廊下の床のユニット図、図３は凹溝付き格子棒を嵌合させた状態を示す斜視図である。
【実施例１】
【００２４】木材製棒状格子を、連続組み立て立方体を縦横二方向に縦１０組と横２０組連続的な構造を形成して、前記立方体の縦一方向の中間位置に正方体の連続格子体を組み込み、立方体の中心位置に格子交差からの連結していない棒状格子を立体体外面の同位置まで張出している格子状基本ユニットであって、前記格子状基本ユニットを１ユニットから構成され格子構成体であって、前記格子構成体を平面に使用して、上面に５ｍｍの厚さの透明板を全面に嵌合させて、下部の立体格子組子を意匠的に構成できる部材になった。【００２５】図３に示すように木材製棒状格子は、材料としてスギであって、８ｍｍの角材の各格子の表面に木目調絞付けを行い、結合した連続面として継目が目立たないようにした。【００２６】連続組み立て立方体は、一つの組み体の立方体を一辺５０ｍｍの寸法の  立方形であって、中間部に正方形を組み立てた状態でなっている格子状基本ユニットであって、結合した連続面として継目が目立たない立体組み立て格子組子の状態にして、格子の交差部に位置する接続棒には、相嵌合するような切欠きを形成した。【００２７】当該透明板は、前記格子状基本ユニットを１ユニットから構成され格子構成体を平面にして、そのユニットの上面に、枠体を設けて全面に５ｍｍの厚さのガラス板を嵌合させた。【００２９】立体格子組子による意匠部材は、図１に示すようにテーブル台であって、格子構成体の下部から照明できるように発光器をユニットの下位に設置できるようにしたが、通常は使用しなかった。この立体組子の創作的な模様がみられるデザイン的テーブルであった。
【実施例２】
【００３０】木材製棒状格子を、連続組み立て立方体を縦横二方向に縦１０組と横２０組連続的な構造を形成して、前記立方体の縦一方向の中間位置に正方体の連続格子体を組み込み、立方体の中心位置に格子交差からの連結していない棒状格子を立体体外面の同位置まで張出している格子状基本ユニットであって、前記格子状基本ユニットを１ユニットから構成され格子構成体であって、前記格子構成体を平面に使用して、図４に示すように上面と下面に５ｍｍの厚さの樹脂製透明板を全面に嵌合させて、意匠的に構成できるユニット部材にした。【００３１】木材製棒状格子は、図２、及び図３に示すように、材料としてスギであって、９ｍｍの角材の各格子の表面に木目調絞付けを行い、結合した連続面として継目が目立たないようにした。【００３２】廊下ユニット部材として連続組み立て立方体は、一つの組み体の立方体を一辺５０ｍｍの寸法の立方形を、縦９００ｍｍ、横１８００ｍｍのユニット体であって、結合した連続面として継目が目立たない立体組み立て格子組子の状態にして、格子の交差部に位置する接続棒には、相嵌合するような切欠きが形成させた。【００３３】当該透明板は、前記格子状基本ユニットを１ユニットから構成され格子構成体を上下平面にして、そのユニットの上面に、全面に５ｍｍの厚さのアクリル樹脂透明板、枠体に嵌合させた。【００３４】立体格子組子による意匠部材は、立体格子組子による意匠部材を示すもので廊下の床のユニット部材であって、格子構成体の下部から照明できるように発光器をユニットの下位に設置した。これによって下部からの光源によって廊下周囲、壁面は幻想的ものであって、特徴ある廊下になった。
【実施例３】
【００３５】木材製棒状格子を、連続組み立て立方体を縦横二方向に縦１０組と横１０組連続的な構造を形成して、前記立方体の縦一方向の中間位置に正方体の連続格子体を組み込み、立方体の中心位置に格子交差からの連結していない棒状格子を立体体外面の同位置まで張出している格子状基本ユニットであって、前記格子状基本ユニットを１ユニットから構成され格子構成体であって、前記格子構成体を平面に使用して、上面に１０ｍｍの厚さの透明板を全面的に嵌合させて、下部の立体格子組子を意匠的に構成になった。【００３６】木材製棒状格子は、図３に示すように材料としてスギであって、８ｍｍの角材の各格子の表面に木目調絞付けを行い、結合した連続面として継目が目立たないようにした。【００３７】連続組み立て立方体は、一つの組み体の立方組子体を一辺５０ｍｍの寸法の立方形であって、中間部に正方形を組み立てた状態でなっている格子状基本ユニットであって、結合した連続面として継目が目立たない立体組み立て格子組子の状態にして、格子の交差部に位置する接続棒には、相嵌合するような切欠きが形成された。【００３８】当該透明板は、前記格子状基本ユニットを１ユニットから構成され格子構成体を平面にして、そのユニットの上面に、全面に１０ｍｍの厚さのポリカーボネート樹脂板で、枠体を嵌合させた。【００３９】立体格子組子による意匠部材は、立体格子組子による意匠部材の、光源を使用したテーブルであって、格子構成体の下部から照明できるように発光器をユニットの下位に設置できるようにした。娯楽的に使用されるテーブルであって、楽しく使用できた。
【符号の説明】
【００４０】ａ、ｂ、ｃ、ｄ  組子の格子部品
１  裏打材（各種合板）
２  木質芯材
３  パネル材
４  枠材
５  格子体
６  透明板
７  木材製棒状格子
８  格子状基本ユニット
９  格子構成体
１０  格子
１１  発光器
１２  格子交差点
１３  脚
【図１】
0003193752.tif 000003
【図２】
0003193752.tif 000004
【図３】
0003193752.tif 000005
【図４】
0003193752.tif 000006
【図５】
0003193752.tif 000007
【手続補正書】
【提出日】平成26年8月11日(2014.8.11)
【手続補正１】
【補正対象書類名】実用新案登録請求の範囲
【補正対象項目名】全文
【補正方法】変更
【補正の内容】
【実用新案登録請求の範囲】
【請求項１】
木材製棒状格子を、連続組み立て立方体を縦横二方向に１０〜８０組連続的な構造を形成して、前記立方体の縦一方向の中間位置に正方体の連続格子体を組み込み、立方体の中心位置に正方体の格子交差点となるようにして、当該交差点から連結していない棒状格子を立体体外面の同位置まで張出した状態の格子状基本ユニットであって、前記格子状基本ユニットを１〜３ユニットから構成された格子構成体にして、前記格子構成体を平面に使用して、その上面に２〜２０ｍｍの厚さの透明板を全面、又は部分的に嵌合させて、下部の立体格子組子を意匠的に構成できる部材になっていることを特徴とする立体格子組子による意匠部材。
【請求項２】
木材製棒状格子は、材料としてヒバ、ヒノキ、スギから選ばれた針葉樹林の木材であって、４〜９ｍｍの角材である各格子の表面に木目調絞付けを行い、結合した連続面として継目が目立たないように格子状に組み立てていることを特徴とする請求項１記載の立体格子組子による意匠部材。
【請求項３】
連続組み立て立方体は、一つの組み体の立方体を一辺２０〜８０ｍｍの寸法の立方形であって、中間部に正方形を組み立てた状態でなっている格子状基本ユニットであって、結合した連続面として継目が目立たない立体組み立て格子組子の状態にして、格子の交差部に位置する接続棒には、相嵌合するような切欠きを形成されていることを特徴とする請求項１又は請求項２に記載の立体格子組子による意匠部材。
【請求項４】
当該透明板は、前記格子状基本ユニットを１〜３ユニットから構成され格子構成体を平面にして、そのユニットの上面に、全面、又は部分的に２〜２０ｍｍの厚さのガラス板、又はポリカーボネート板、又はポリアクリル板から選ばれた透明板を載設されていることを特徴とする請求項１〜請求項３のいずれかに記載の立体格子組子による意匠部材。
【請求項５】
立体格子組子による意匠部材は、テーブル台、又は廊下の床、又はスタンド台であって、格子構成体の下部から照明できるように発光器を格子状基本ユニットの下位に設置できるようになっていることを特徴とする請求項１〜請求項３のいずれかに記載の立体格子組子による意匠部材。